(57)【特許請求の範囲】
【請求項１】
監視対象となる対象物の探索要求の入力を検出する探索要求検出部と、
前記探索要求の入力に基づいて、前記対象物の識別情報を取得する識別情報取得部と、
取得した前記識別情報を少なくとも含む交換検知要求信号を送信する交換検知要求信号送信部と、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、
前記交換対象通知信号に含まれる寿命設定部品の識別情報を出力する寿命設定部品識別情報出力部と、
前記対象物の交換終了処理登録の入力を検出する交換終了処理登録検出部と、
前記交換終了処理登録の入力に基づいて、前記対象物の識別情報を少なくとも含む交換終了処理開始信号を送信する交換終了処理開始信号送信部と、
前記交換終了処理開始信号の送信に応じて、前記ＩＣタグより、前記対象物の識別情報を少なくとも示す交換処理終了信号を受信する交換処理終了信号受信部と、
を備えることを特徴とする端末装置。
【請求項２】
監視対象となる対象物の識別情報を記憶する対象物識別情報記憶部と、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、
無線を介して対象物の識別情報を含む交換検知要求信号を受信する交換検知要求信号受信部と、
前記交換検知要求信号に含まれる識別情報と、前記対象物識別情報記憶部に記憶する識別情報とが一致するか否かを判定する識別情報一致判定部と、
前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、
を備えることを特徴とするＩＣタグ。
【請求項３】
対象物の識別情報と交換した寿命設定部品の識別情報とを少なくとも含む交換終了処理開始信号を受信する交換終了処理開始信号受信部と、
前記交換終了処理開始信号に含まれる識別情報と、前記対象物識別情報記憶部に記憶する識別情報とが一致する場合であって、前記交換終了処理開始信号に含まれる寿命設定部品の識別情報が前記寿命有無識別情報記憶部に記録されている場合に、交換期限時記憶部に記録されている前記交換期限時を、前記交換終了処理開始信号に含まれる寿命設定部品の寿命期間を前記現在時に加えた新交換期限時に更新する交換期限時更新部と、
を備えることを特徴とする請求項２に記載のＩＣタグ。
【請求項４】
前記寿命有無識別情報記憶部に寿命設定部品であることを示す寿命有無識別情報に対応付けられて記録されている部品の交換期限時が現在時を経過している場合に、発光部を発光させる交換検知時発光制御部と、
前記交換期限時を更新した場合に、発光部を発光させる更新時発光制御部と、
を備えることを特徴とする請求項３に記載のＩＣタグ。
【請求項５】
端末装置が、
監視対象となる対象物の探索要求の入力を検出する探索要求検出部と、
前記探索要求の入力に基づいて、前記対象物の識別情報を取得する識別情報取得部と、
取得した前記識別情報を少なくとも含む交換検知要求信号をＩＣタグへ送信する交換検知要求信号送信部と、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、
前記交換対象通知信号に含まれる寿命設定部品の識別情報を出力する寿命設定部品識別情報出力部と、を備え、
ＩＣタグが、
前記対象物の識別情報を記憶する対象物識別情報記憶部と、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、
無線を介して前記交換検知要求信号を受信する交換検知要求信号受信部と、
前記交換検知要求信号に含まれる識別情報と、前記対象物識別情報記憶部に記憶する識別情報とが一致するか否かを判定する識別情報一致判定部と、
前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、を備える
ことを特徴とする前記端末装置と前記ＩＣタグとを有する機器保守システム。
【請求項６】
機器保守システムにおける端末装置が、
監視対象となる対象物の探索要求の入力を検出し、
前記探索要求の入力に基づいて、前記対象物の識別情報を取得し、
取得した前記識別情報を少なくとも含む交換検知要求信号を送信し、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信し、
前記交換対象通知信号に含まれる寿命設定部品の識別情報を出力し、
前記対象物の交換終了処理登録の入力を検出し、
前記交換終了処理登録の入力に基づいて、前記対象物の識別情報を少なくとも含む交換終了処理開始信号を送信し、
前記交換終了処理開始信号の送信に応じて、前記ＩＣタグより、前記対象物の識別情報を少なくとも示す交換処理終了信号を受信する
ことを特徴とする処理方法。
【請求項７】
機器保守システムにおけるＩＣタグが、
監視対象となる対象物の識別情報を記憶し、
前記対象物に含まれる１つまたは複数の部品の識別情報と、当該部品が使用可能期間である寿命の設定された寿命設定部品か否かを示す寿命有無識別情報とを対応付けて記憶し、
無線を介して対象物の識別情報を含む交換検知要求信号を受信し、
前記交換検知要求信号に含まれる識別情報と、対象物識別情報記憶部に記憶する識別情報とが一致するか否かを判定し、
前記交換検知要求信号に含まれる識別情報と、前記対象物識別情報記憶部に記憶する識別情報とが一致する場合に、寿命有無識別情報記憶部において寿命設定部品であることを示す寿命有無識別情報に対応付けられて記録されている部品の識別情報があるかを判定し、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定し、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する
ことを特徴とする処理方法。
【請求項８】
機器保守システムにおける端末装置のコンピュータを、
監視対象となる対象物の探索要求の入力を検出する探索要求検出手段、
前記探索要求の入力に基づいて、前記対象物の識別情報を取得する識別情報取得手段、
取得した前記識別情報を少なくとも含む交換検知要求信号を送信する交換検知要求信号送信手段、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信手段、
前記交換対象通知信号に含まれる寿命設定部品の識別情報を出力する寿命設定部品識別情報出力手段、
前記対象物の交換終了処理登録の入力を検出する交換終了処理登録検出手段、
前記交換終了処理登録の入力に基づいて、前記対象物の識別情報を少なくとも含む交換終了処理開始信号を送信する交換終了処理開始信号送信手段、
前記交換終了処理開始信号の送信に応じて、前記ＩＣタグより、前記対象物の識別情報を少なくとも示す交換処理終了信号を受信する交換処理終了信号受信手段
として機能させることを特徴とするプログラム。
【請求項９】
機器保守システムにおけるＩＣタグのコンピュータを、
監視対象となる対象物の識別情報を記憶する対象物識別情報記憶手段、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶手段、
無線を介して対象物の識別情報を含む交換検知要求信号を受信する交換検知要求信号受信手段、
前記交換検知要求信号に含まれる識別情報と、前記対象物識別情報記憶手段に記憶する識別情報とが一致するか否かを判定する識別情報一致判定手段、
前記交換検知要求信号に含まれる識別情報と、前記対象物識別情報記憶手段に記憶する識別情報とが一致する場合に、前記寿命有無識別情報記憶手段において寿命設定部品であることを示す寿命有無識別情報に対応付けられて記録されている部品の識別情報があるかを判定する寿命設定部品有無判定手段、
前記寿命有無識別情報記憶手段に寿命設定部品であることを示す寿命有無識別情報に対応付けられて記録されている部品の識別情報がある場合に、その部品の交換期限時を読み取って当該交換期限時が現在時を経過しているか否かを判定する交換有無判定手段、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知手段、
として機能させることを特徴とするプログラム。
【発明の詳細な説明】
【技術分野】
【０００１】
本発明は、保守対象機器の保守に利用される端末装置、ＩＣタグ、機器保守システム、処理方法、プログラムに関する。
【背景技術】
【０００２】
自動販売機から取り外した各構成部品の余寿命情報を把握できる技術が、特許文献１に開示されている。
【先行技術文献】
【特許文献】
【０００３】
【特許文献１】特開２００５−１７３８１５号公報
【発明の概要】
【発明が解決しようとする課題】
【０００４】
ここで、上述の特許文献１に開示されている技術は、自動販売機内に設けられた部品の余寿命情報を端末に表示させることができるが、自動販売機内に設けられた部品が多数存在する場合には、そのすべてについて余寿命情報が端末に表示される技術である。したがって、例えば、どの部品が交換すべき部品かを管理者が把握するためには、管理者は、すべての余寿命情報を見て逐一、各部品について寿命とされる期限を超えているかどうかを自ら判定しなければならないという問題があり労力がかかる。
【０００５】
本発明は上述のような課題に鑑みてなされたものであり、上述のような課題を解決する端末装置、ＩＣタグ、機器保守システム、処理方法、プログラムを提供するものである。
【課題を解決するための手段】
【０００６】
上記目的を達成するために、本発明は、監視対象となる対象物の探索要求の入力を検出する探索要求検出部と、前記探索要求の入力に基づいて、前記対象物の識別情報を取得する識別情報取得部と、取得した前記識別情報を少なくとも含む交換検知要求信号を送信する交換検知要求信号送信部と、前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、前記交換対象通知信号に含まれる寿命設定部品の識別情報を出力する寿命設定部品識別情報出力部と、前記対象物の交換終了処理登録の入力を検出する交換終了処理登録検出部と、前記交換終了処理登録の入力に基づいて、前記対象物の識別情報を少なくとも含む交換終了処理開始信号を送信する交換終了処理開始信号送信部と、前記交換終了処理開始信号の送信に応じて、前記ＩＣタグより、前記対象物の識別情報を少なくとも示す交換処理終了信号を受信する交換処理終了信号受信部と、を備えることを特徴とする端末装置である。
【０００７】
また本発明は、監視対象となる対象物の識別情報を記憶する対象物識別情報記憶部と、前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、無線を介して対象物の識別情報を含む交換検知要求信号を受信する交換検知要求信号受信部と、前記交換検知要求信号に含まれる識別情報と、前記対象物識別情報記憶部に記憶する識別情報とが一致するか否かを判定する識別情報一致判定部と、前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、を備えることを特徴とするＩＣタグである。
【０００８】
また本発明は、端末装置が、監視対象となる対象物の探索要求の入力を検出する探索要求検出部と、前記探索要求の入力に基づいて、前記対象物の識別情報を取得する識別情報取得部と、取得した前記識別情報を少なくとも含む交換検知要求信号をＩＣタグへ送信する交換検知要求信号送信部と、前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、前記交換対象通知信号に含まれる寿命設定部品の識別情報を出力する寿命設定部品識別情報出力部と、を備え、ＩＣタグが、前記対象物の識別情報を記憶する対象物識別情報記憶部と、前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、無線を介して前記交換検知要求信号を受信する交換検知要求信号受信部と、前記交換検知要求信号に含まれる識別情報と、前記対象物識別情報記憶部に記憶する識別情報とが一致するか否かを判定する識別情報一致判定部と、前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、を備えることを特徴とする前記端末装置と前記ＩＣタグとを有する機器保守システムである。
【０００９】
また本発明は、機器保守システムにおける端末装置が、監視対象となる対象物の探索要求の入力を検出し、前記探索要求の入力に基づいて、前記対象物の識別情報を取得し、取得した前記識別情報を少なくとも含む交換検知要求信号を送信し、前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信し、前記交換対象通知信号に含まれる寿命設定部品の識別情報を出力し、前記対象物の交換終了処理登録の入力を検出し、前記交換終了処理登録の入力に基づいて、前記対象物の識別情報を少なくとも含む交換終了処理開始信号を送信し、前記交換終了処理開始信号の送信に応じて、前記ＩＣタグより、前記対象物の識別情報を少なくとも示す交換処理終了信号を受信することを特徴とする処理方法である。
【００１０】
また本発明は、機器保守システムにおけるＩＣタグが、監視対象となる対象物の識別情報を記憶し、前記対象物に含まれる１つまたは複数の部品の識別情報と、当該部品が使用可能期間である寿命の設定された寿命設定部品か否かを示す寿命有無識別情報とを対応付けて記憶し、無線を介して対象物の識別情報を含む交換検知要求信号を受信し、前記交換検知要求信号に含まれる識別情報と、対象物識別情報記憶部に記憶する識別情報とが一致するか否かを判定し、前記交換検知要求信号に含まれる識別情報と、前記対象物識別情報記憶部に記憶する識別情報とが一致する場合に、寿命有無識別情報記憶部において寿命設定部品であることを示す寿命有無識別情報に対応付けられて記録されている部品の識別情報があるかを判定し、前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定し、前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力することを特徴とする処理方法である。
【００１１】
また本発明は、機器保守システムにおける端末装置のコンピュータを、監視対象となる対象物の探索要求の入力を検出する探索要求検出手段、前記探索要求の入力に基づいて、前記対象物の識別情報を取得する識別情報取得手段、取得した前記識別情報を少なくとも含む交換検知要求信号を送信する交換検知要求信号送信手段、前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信手段、前記交換対象通知信号に含まれる寿命設定部品の識別情報を出力する寿命設定部品識別情報出力手段、前記対象物の交換終了処理登録の入力を検出する交換終了処理登録検出手段、前記交換終了処理登録の入力に基づいて、前記対象物の識別情報を少なくとも含む交換終了処理開始信号を送信する交換終了処理開始信号送信手段、前記交換終了処理開始信号の送信に応じて、前記ＩＣタグより、前記対象物の識別情報を少なくとも示す交換処理終了信号を受信する交換処理終了信号受信手段として機能させることを特徴とするプログラムである。
【００１２】
また本発明は、機器保守システムにおけるＩＣタグのコンピュータを、監視対象となる対象物の識別情報を記憶する対象物識別情報記憶手段、前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶手段、無線を介して対象物の識別情報を含む交換検知要求信号を受信する交換検知要求信号受信手段、前記交換検知要求信号に含まれる識別情報と、前記対象物識別情報記憶手段に記憶する識別情報とが一致するか否かを判定する識別情報一致判定手段、前記交換検知要求信号に含まれる識別情報と、前記対象物識別情報記憶手段に記憶する識別情報とが一致する場合に、前記寿命有無識別情報記憶手段において寿命設定部品であることを示す寿命有無識別情報に対応付けられて記録されている部品の識別情報があるかを判定する寿命設定部品有無判定手段、前記寿命有無識別情報記憶手段に寿命設定部品であることを示す寿命有無識別情報に対応付けられて記録されている部品の識別情報がある場合に、その部品の交換期限時を読み取って当該交換期限時が現在時を経過しているか否かを判定する交換有無判定手段、前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知手段、として機能させることを特徴とするプログラムである。
【発明の効果】
【００１３】
本発明の機器保守システムでは、狭小なスペース内に設けられた検出すべき保守対象の対象物が多数ある場合に、交換すべき対象となる対象物の有無を迅速に特定することができる。
【図面の簡単な説明】
【００１４】
【図１】本発明の実施の第一の形態の機器保守システムの全体構造を示す模式的な斜視図である。
【図２】本発明の実施の第一の形態の機器保守システムのＩＣタグの回路構造を示すブロック図である。
【図３】本発明の実施の第一の形態の機器保守システムの携帯端末の回路構造を示すブロック図である。
【図４】本発明の実施の第一の形態のＩＣタグにおける制御回路の機能ブロック図である。
【図５】本発明の実施の第一の形態の携帯端末における制御回路の機能ブロック図である。
【図６】本発明の実施の第一の形態のＩＣタグの識別制御のデータ処理方法を示すフローチャートである。
【図７】本発明の実施の第一の形態のＩＣタグの日付探索のデータ処理方法を示すフローチャートである。
【図８】本発明の実施の第一の形態のＩＣタグの状態表示のデータ処理方法を示すフローチャートである。
【図９】本発明の実施の第一の形態のＩＣタグの交換制御のデータ処理方法を示すフローチャートである。
【図１０】本発明の実施の第一の形態のＩＣタグの日付更新のデータ処理方法を示すフローチャートである。
【図１１】本発明の実施の第二の形態の機器保守システムの全体構造を示す模式的なブロック図である。
【図１２】本発明の実施の第二の形態の機器保守システムの管理サーバのデータ処理方法を示すフローチャートである。
【図１３】本発明の実施の第一の形態のＩＣタグのデータ構造を示す模式図である。
【図１４】本発明の実施の第一の形態のＩＣタグのデータ構造を示す模式図である。
【図１５】本発明の実施の第一の形態のＩＣタグのデータ構造を示す模式図である。
【発明を実施するための形態】
【００１５】
本発明の第一の実施形態に関して図面を参照して以下に説明する。なお、本発明の各種の構成要素は、その機能を実現するように形成されていればよく、例えば、所定の機能を発揮する専用のハードウェア、所定の機能がコンピュータプログラムにより付与されたマイクロコンピュータ、コンピュータプログラムによりマイクロコンピュータに実現された所定の機能、これらの任意の組み合わせ、等として実現することができる。
【００１６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１７】
本実施形態の機器保守システムは、例えば、使用可能期間である寿命の設定された寿命設定部品を内部に備えた機器として、定期点検やスポット保守などの特定の保守作業の対象となる電子機器３０ａを備えると共に、寿命設定部品を内部に備えない機器として、上述の保守作業の対象とはならない電子機器３０ｂとを備える。
監視対象となる対象物
【００１８】
なお本実施形態において寿命設定部品とは、保守対応可能期間内に設計寿命あるいは理論寿命を迎える部品であって、電子機器３０ａに内蔵されているバッテリー（２次電池）などの消耗部品、液晶ディスプレイ、ハードディスク、機械接点部品などを示す。寿命設定部品には、寿命設定部品であることを特定するための固有の部品番号などが予め割り当てられている。
【００１９】
また本実施形態の機器保守システムでは、図１に示すように、例えば、上述のような保守作業の対象となる電子機器３０ａが、保守作業の対象とならない電子機器３０ｂとともに、１９インチラックなどに設置されている。
【００２０】
このような電子機器３０ａ、３０ｂの表面には、ＩＣタグ１０ａ、１０ｂが予め貼付により搭載されている。上述のようなＩＣタグ１０は、図２に示すように、制御回路１０１、メモリ回路１０２、状態表示ユニット１０３、アンテナ部１０４、コンデンサ部１０５、電源回路１０６、変復調回路１０７、を備える。なおＩＣタグ１０は、当該ＩＣタグ１０が貼付されている電子機器３０ａまたは３０ｂの識別情報等を記憶している。ＩＣタグ１０は電子機器３０ａ，３０ｂに貼付されない代わりに近くに配置され、当該近くに位置する（管轄する）電子機器３０ａ，３０ｂの識別情報等を記憶するようにしてもよい。本実施形態においては監視対象となる対象物として電子機器３０ａ，３０ｂを例に説明するが、当該対象物は電子機器３０ａ，３０ｂはケースに入っていてもよく、１９インチラックに実装された電子回路基板であってもよい。またＩＣタグ１０は、非接触ＩＣの標準規格であるＮＦＣ（Near Field Communication）の技術により構成されるものであってよい。
【００２１】
制御回路１０１は、いわゆるマイクロコンピュータからなり、メモリ回路１０２に格納されているコンピュータプログラムを実行することにより、携帯端末２０（端末装置）から受信する各種のコマンド信号に対応して、ＩＣタグ１０の各部を統合制御する。
【００２２】
メモリ回路１０２（対象物識別情報記憶部、寿命有無識別情報記憶部）は、不揮発性のフラッシュメモリなどからなり、後述する制御回路１０１のコンピュータプログラムである、識別制御プログラムおよび交換制御プログラム、各種データなどが格納されている。この各種データを示すデータテーブルとしては、図１３に示すように、シリアル番号（対象物の識別情報）、設置日付（または設定日時でもよい）、寿命設定部品の有無を示す二値フラグ（寿命有無識別情報）、等が、少なくともメモリ回路１０２に登録されている。シリアル番号は、電子機器３０を特定するための管理ＩＤであり、数字などの文字の組合せによる固定長で設定されている。
【００２３】
また図１３のデータテーブルにおいて示す設置日付は、その電子機器３０ａ、３０ｂが１９インチラックに設置および稼働開始した日付を示す。寿命設定部品の有無を示す二値フラグは、例えば、寿命設定部品がある場合には“１”、寿命設定部品がない場合には“０”、が設定されている。寿命設定部品がある場合、さらに、その寿命設定部品ごとの部品識別データである部品番号ごとに、更新日付（または更新日時でもよい）、部品寿命、が登録されている。
【００２４】
また図１３のデータテーブルにおいて示す寿命設定部品の更新日付は、その寿命設定部品が過去に交換された日付を示している。また寿命設定部品の部品寿命は、その寿命設定部品を使用できる時間や日数などの期間を示している。
【００２５】
状態表示ユニット１０３は、例えば利用者によって指定された電子機器３０に備わっており、当該電子機器３０の内部に設けられた寿命設定部品のうち交換が必要な寿命設定部品がある場合に、その寿命設定部品が設けられていることを出力する機能である。当該状態表示ユニット１０３は、発光素子であるＬＥＤ(Light Emitting Diode)などにより構成されており、制御回路１０１に制御されて、例えば、消灯、点灯、点滅を行うことにより、寿命設定部品が設けられていることを出力する。このような状態表示ユニット１０３は、上述のように一個のＬＥＤの点灯等で寿命設定部品が設けられていることを出力してもよく、電力の供給可能な範囲内で、それぞれが寿命設定部品である複数個のＬＥＤで構成された状態表示ユニット１０３や、ディスプレイなどで寿命設定部品が電子機器３０内に設けられていることを表示出力するようにしてもよい。
【００２６】
アンテナ部１０４（交換検知要求信号受信部、交換終了処理開始信号受信部）は、いわゆるアンテナコイル（ループアンテナ）からなり、電磁誘導により携帯端末２０とデータ通信する。アンテナ部１０４は、携帯端末２０がＩＣタグ１０の交信領域内に位置するような場合に、携帯端末２０に搭載されているリーダ／ライタ２１０から搬送波を受信し、交流磁界によるコイルの相互誘導を利用して電源回路１０６に電力を供給する。
【００２７】
コンデンサ部１０５は、アンテナ部１０４とともに共振回路を形成する。電源回路１０６は、電磁誘導された搬送波を直流成分へ変換し、各部へ電源電力を供給する。変復調回路１０７は、デジタル信号に復調・変調をかける。
【００２８】
携帯端末２０は、図３に示すように、制御回路２０１、メモリ回路２０２、データ入力部２０３、ディスプレイ２０４、時計部２０５、通信回路２０６、変復調回路２０７、搬送波発生回路２０８、アンテナ部２０９、等を有する。本実施形態の携帯端末２０は、保守作業の作業性を考慮して、リーダ／ライタ２１０が一体化されている。リーダ／ライタ２１０は、変復調回路２０７、搬送波発生回路２０８、アンテナ部２０９、を含む。携帯端末２０は、３ＧやＬＴＥ等の携帯電話通信でも良く、無線ＬＡＮ等の近距離無線通信機能を有し、無線ＬＡＮの親機（アクセスポイント）を介して、インターネットやイントラネット網に接続する端末でも良い。なお本発明の端末装置は、携帯電話、スマートフォン、タブレット端末（Ａｎｄｒｏｉｄ（登録商標）  ＯＳを搭載した端末）に限らず、無線通信機能を有する他の装置（例えば、ゲーム機、タブレットＰＣ(Personal Computer)、ノートＰＣ、ＰＤＡ(Personal Data Assistants：携帯情報端末)）であっても良い。
【００２９】
制御回路２０１は、マイクロコンピュータなどからなり、メモリ回路２０２に格納されているコンピュータプログラムを実行することにより、携帯端末２０の各部を統合制御する。メモリ回路２０２は、制御回路２０１のコンピュータプログラムや、後述する各種データなどを記憶する。データ入力部２０３は、電子機器３０のシリアル番号や各種コマンドを入力を受け付ける。データ入力部２０３は、具体的には、例えばテンキーや専用キーからなるキーボードや、タッチパネルなどである。なおデータ入力部２０３がタッチパネルの場合は、ディスプレイ２０４と兼用することができる。
【００３０】
ディスプレイ２０４は、ＬＣＤ(Liquid Crystal Display)などからなり、ＩＣタグ１０との通信結果に基づいて受信した情報を文字表示する。時計部２０５は現在日付（または現在日時でもよい）の情報を生成する。
【００３１】
通信回路２０６は、上位機器（図示せず）との通信を実行する。変復調回路２０７は、ＩＣタグ１０と送受信するデジタル信号に変調・復調をかける。搬送波発生回路２０８は、ＩＣタグ１０との通信に使用される搬送波を発生する。アンテナ部２０９は、ＩＣタグ１０との電力供給とデータ通信とを電磁誘導により実行する。
【００３２】
なお、前述したデータ入力部２０３が入力する各種コマンドとは、ＩＣタグ１０を制御するコマンドである。当該コマンドは、電子機器３０の探索とその電子機器３０に備わる寿命設定部品のうち交換の対象となる寿命設定部品を探索するための探索要求（以下、「探索要求」という）を開始する探索要求コマンドである。または当該データ入力部２０３が入力するコマンドは、寿命設定部品を交換した際にＩＣタグ１０のメモリ回路１０２に記憶された更新日付を更新する交換終了処理（以下、「交換終了処理」という）を開始する交換終了処理開始コマンド（交換終了処理登録）の何れかである。
【００３３】
図４はＩＣタグ１０の制御回路１０１が構成する機能ブロック図である。
制御回路１０１はメモリ回路１０２に記録されているプログラムを実行する。これにより制御回路１０１内には、識別情報一致判定部１１と、寿命設定部品有無判定部１２と、交換有無判定部１３と、交換対象通知部１４と、交換期限時更新部１５と、交換検知時発光制御部１６と、更新時発光制御部１７と、の各処理部の機能が構成される。
【００３４】
ここで、識別情報一致判定部１１は、交換検知要求信号に含まれるシリアル番号と、メモリ回路１０２に記憶するシリアル番号とが一致するか否かを判定する処理部である。
また寿命設定部品有無判定部１２は、交換検知要求信号に含まれるシリアル番号と、メモリ回路１０２に記憶するシリアル番号とが一致する場合に、メモリ回路１０２において寿命設定部品の有無の情報が有を示す情報に対応付けられて記録されている部品の識別情報（部品番号）があるかを判定する処理部である。
また交換有無判定部１３は、メモリ回路１０２に寿命設定部品であることを示す情報に対応付けられて記録されている部品番号がある場合に、その部品の交換日付（交換期限時）を読み取って当該交換日付が現在日付（現在時）を経過しているか否かを判定する処理部である。
また交換対象通知部１４は、メモリ回路１０２に寿命設定部品であることを示す情報に対応付けられて記録されている部品の交換日付が現在日付を経過している場合に、または、メモリ回路１０２に寿命設定部品であることを示す情報に対応付けられて記録されている部品の交換日付までの現在時からの期間が所定期間以内である場合に、当該部品の交換が必要であることを示す交換対象通知信号を出力する処理部である。
【００３５】
また交換期限時更新部１５は、交換終了処理開始信号に含まれるシリアル番号と、メモリ回路１０２に記憶するシリアル番号とが一致する場合であって、交換終了処理開始信号に含まれる寿命設定部品の部品番号がメモリ回路１０２に記録されている場合に、メモリ回路１０２に記録されている交換日付を、交換終了処理開始信号に含まれる寿命設定部品の寿命期間を現在日付に加えた新たな交換日付（新交換期限時）の情報に更新する処理部である。
また交換検知時発光制御部１６は、メモリ回路１０２に寿命設定部品であることを示す情報に対応付けられて記録されている部品の交換日付が現在日付を経過している場合に、状態表示ユニット１０３を発光させる処理部である。
更新時発光制御部１７は、メモリ回路１０２に記録されている交換日付を新たな交換日付の情報に更新した場合に、発光部を発光させる処理部である。
【００３６】
図５は携帯端末２０の制御回路２０１が構成する機能ブロック図である。
制御回路２０１はメモリ回路２０２に記録されているプログラムを実行する。これにより制御回路２０１内には、探索要求検出部２１、識別情報取得部２２、交換検知要求信号送信部２３、交換対象通知信号受信部２４、寿命設定部品識別情報出力部２５、交換終了処理登録検出部２６、交換終了処理開始信号送信部２７、交換処理終了信号受信部２８と、の各処理部の機能が構成される。
【００３７】
ここで、探索要求検出部２１は、監視対象となる対象物の探索要求の入力を検出する処理部である。
また識別情報取得部２２は、探索要求の入力に基づいて、電子機器３０のシリアル番号を取得する処理部である。
また交換検知要求信号送信部２３は、電子機器３０のシリアル番号等を含む交換検知要求信号を送信する処理部である。
また交換対象通知信号受信部２４は、交換検知要求信号の送信に応じて、監視対象となる電子機器３０に貼付されているＩＣタグより、寿命設定部品のうち交換日付が現在日付を経過している寿命設定部品の部品番号を含む交換対象通知信号または、寿命設定部品のうち現在日付から交換日付までの期間が所定期間以内である寿命設定部品の部品番号を含む交換対象通知信号を受信する処理部である。
また寿命設定部品識別情報出力部２５は、交換対象通知信号に含まれる寿命設定部品の部品番号を出力する処理部である。
また交換終了処理登録検出部２６は、対象となる電子機器３０の交換終了処理登録の入力を検出する処理部である。
また交換終了処理開始信号送信部２７は、交換終了処理登録の入力に基づいて、対象となる電子機器３０のシリアル番号を含む交換終了処理開始信号を送信する処理部である。
また交換処理終了信号受信部２８は、交換終了処理開始信号の送信に応じて、ＩＣタグ１０より、対象となる電子機器３０のシリアル番号を示す交換処理終了信号を受信する処理部である。
【００３８】
以下、上述した携帯端末２０とＩＣタグ１０とを有する機器保守システムの処理の詳細について順を追って説明する。
上述のような構成において、本実施形態の機器保守システムでは、まず、利用者は定期点検やスポット保守などの保守作業で電子機器３０を特定するために、上述した探索要求コマンドを携帯端末２０へ入力操作する。するとデータ入力部２０３が、探索要求のコマンドを制御回路へ出力する。次に携帯端末２０の制御回路２０１において、探索要求検出部２１が探索要求コマンドを検出する。すると識別情報取得部２２がディスプレイ２０４にシリアル番号入力画面を表示するなどして、当該入力画面において利用者より入力された電子機器３０のシリアル番号を取得する。すると制御回路２０１の交換検知要求信号送信部２３が、当該取得したシリアル番号と、時計部２０５が生成した現在日付とを含む識別情報を生成し、生成した識別情報をメモリ回路２０２に記憶する。
【００３９】
次に利用者は、手動操作により、携帯端末２０のリーダ／ライタ２１０を電子機器３０に貼付されたＩＣタグ１０の交信領域内に接近させる。この操作が行われている時、交換検知要求信号送信部２３は、利用者の手動操作に対応して、生成した識別情報を含む交換検知要求信号をリーダ／ライタ２１０で搬送波発生回路２０８が発生させた高周波信号に重畳し、ＩＣタグ１０へ送信する。つまり、リーダ／ライタ２１０では、搬送波発生回路２０８の発生した高周波信号を変復調回路２０７で変調して情報を重畳し、アンテナ２０９から無線信号を出力する。なお携帯端末２０は、保守対象の顧客情報を記憶するデータベースから通信ネットワークを介して電子機器３０のシリアル番号を検索して抽出することもできる。
【００４０】
すると、図６に示すように、ＩＣタグ１０では、携帯端末２０のリーダ／ライタ２１０から発信された高周波信号により励磁を受け、交流磁界によるコイルの相互誘導により電源回路１０６に起電力が発生する（ステップａ１）。
【００４１】
さらに、ＩＣタグ１０の制御回路１０１は、搬送波に重畳された携帯端末２０からのコマンドにより識別情報を検出してメモリ回路１０２に登録し、前述のように携帯端末２０に手動入力されたシリアル番号と現在日付とを取得する（ステップａ２）。
【００４２】
つぎに、制御回路１０１の識別情報一致判定部１１が、この取得したシリアル番号とメモリ回路１０２に登録されているシリアル番号を比較する（ステップａ３）。そして、一致していれば（ステップａ３−Ｙ）、寿命設定部品有無判定部１２が、寿命設定部品の有無を判断する（ステップａ４）。
【００４３】
そして寿命設定部品有無判定部１２において、寿命設定部品の有無のメモリ内容が値１（部品有り）と判定された場合は（ステップａ４−Ｙ）、交換有無判定部１３が、その寿命設定部品の更新日付の日付探索を実行する（ステップａ５）。交換有無判定部１３はこの日付探索の処理において、図７および図１４に示すように、寿命設定部品を一件目から順番に探索するため、Ｎ（番号）に初期値として値“１”を登録する（ステップｂ１）。
【００４４】
また交換有無判定部１３は、ＬＥＤなどの状態表示ユニット１０３の、例えば、消灯（＝値０）／点灯（＝値１）／点滅（＝値２）の状態を確定するため、図７に示すように、Ｌに初期値として値１を登録する（ステップｂ２）。つぎに交換有無判定部１３は、現在日付と、予めメモリ回路１０２において記録されている寿命設定部品の次回交換予定日である更新日付（交換期限時）と比較し（ステップｂ３）、現在日付が更新日付を経過していない場合は、二件目以降の寿命設定部品を探索するため、前述の番号Ｎをインクリメントする（ステップｂ４）。
【００４５】
また交換有無判定部１３は、現在日付が更新日付を経過している場合は、寿命設定部品の交換時期と判断するため部品番号を記録し（ステップｂ６）、Ｌに値２を登録する（ステップｂ７）。また交換有無判定部１３は、番号Ｎをインクリメントする（ステップｂ４）。
【００４６】
上述のような処理が完了すると、交換有無判定部１３は寿命設定部品の探索を全件数分行ったかの判定を実施し（ステップｂ５）、全件数に達した場合は処理を終了する。全件数に達していない場合は、上述のような処理を全件数に達するまで繰り返す（ステップｂ３〜ｂ５）。
【００４７】
なお、ＩＣタグ１０は、図６に示すように、前述のように携帯端末２０から取得したシリアル番号と登録されているシリアル番号とが一致しなければ（ステップａ３−Ｎ）、Ｌ＝０のまま、状態表示ユニット１０３の状態表示に移行する（ステップａ６）。
【００４８】
また、ＩＣタグ１０は、携帯端末２０から取得したシリアル番号と登録されているシリアル番号とが一致しても（ステップａ３−Ｙ）、寿命設定部品が無い場合は、Ｌ＝１として（ステップａ８）、状態表示ユニット１０３の状態表示に移行する（ステップａ６）。
【００４９】
上述のような寿命設定部品の更新日付の日付探索が完了すると、交換検知時発光制御部１６は、図６に示すように、その探索結果に対応して状態表示ユニット１０３を駆動し、例えば、状態表示ユニット１０３のＬＥＤを消灯／点灯／点滅させる（ステップａ６）。
【００５０】
このとき、図８に示すように、ＩＣタグ１０の制御回路１０１において交換検知時発光制御部１６は、メモリ回路２０２に一時的に記憶しているＬの値を判定し（ステップｃ１）、Ｌ＝０の場合（シリアル番号が一致しない場合）は、状態表示ユニット１０３のＬＥＤの消灯状態を維持する（ステップｃ４）。また交換検知時発光制御部１６は、Ｌ＝１の場合（シリアル番号が一致したが寿命設定部品が存在しない場合や、寿命設定部品は存在するが交換時期に達していない場合）は、状態表示ユニット１０３のＬＥＤを点灯させる（ステップｃ２）。また交換検知時発光制御部１６は、Ｌ＝２の場合（シリアル番号が一致し、寿命設定部品が存在し、交換時期に達している場合）は、状態表示ユニット１０３のＬＥＤを、交換警告データとして点滅させる（ステップｃ５）。
【００５１】
さらに、このＩＣタグ１０において、制御回路１０１の交換対象通知部１４は、図６に示すように、上述のような判定結果を含む交換対象通知信号を、その部品番号などとともに携帯端末２０に電磁誘導で返信する（ステップａ７）。当該判定結果には、現在日付が更新日付を経過していると判定された寿命設定部品の部品番号が含まれる。すると、携帯端末２０において制御回路２０１の交換対象通知信号受信部２４は、ＩＣタグ１０から受信した交換対象通知信号から判定結果を取得する。そして寿命設定部品識別情報出力部２５が、その判定結果に含まれる、現在日付が更新日付を経過していると判定された寿命設定部品の部品番号を、交換警告データとしてディスプレイ２０４に表示出力する。
【００５２】
このため、利用者は、ＩＣタグ１０に備わる状態表示ユニット１０３の報知出力から、交換が必要な寿命設定部品を有する電子機器３０を容易に特定することができる。同時に、その交換が必要な寿命設定部品は、部品番号が携帯端末２０で報知出力されていることから、容易に判断することができる。
また上述の処理によれば、電子機器３０内における多数の部品のうち、寿命設定部品であって、交換が必要な寿命設定部品のみの情報が携帯端末２０に表示されるため、狭小なスペース内に設けられた検出すべき保守対象の対象物が多数ある場合に、交換すべき対象となる対象物の有無を迅速に特定することができる。
【００５３】
従って、利用者は電子機器３０の寿命設定部品を特定して交換することができる。つぎに、このように寿命設定部品を交換した場合の、利用者の操作とＩＣタグ１０の処理について説明する。
【００５４】
なお、ＩＣタグ１０の制御回路１０１において交換対象通知部１４は、メモリ回路１０２に寿命設定部品であることを示す情報に対応付けられて記録されている部品の交換日付までの現在時からの期間が所定期間以内である場合に、当該部品の交換が必要であることを示す交換対象通知信号を出力するようにしてもよい。この時、交換対象通知部１４は、交換対象通知信号に、残有効寿命期間あるいは有効寿命年月日を格納して携帯端末２０へ送信する。これにより、携帯端末２０は、寿命が迫っている寿命設定部品の部品番号と共に、残有効寿命期間あるいは有効寿命年月日を表示するようにしてもよい。
また上述の説明では、ＩＣタグ１０は寿命設定部品が交換時期に達しているかどうか等の情報をＬＥＤの点滅等により出力したが、その他の出力機能（例えば、音による出力や液晶表示など）によって出力するようにしてもよい。
また携帯端末２０はＩＣタグ１０に接触することで、ＩＣタグ１０との間で上述した各種情報を送受信するようにしてもよい。
また携帯端末２０は、現在日付を時計部２０５から取得する代わりに、ネットワークを介して接続されたサーバ等の外部装置から取得するようにしてもよい。
【００５５】
利用者は、寿命設定部品の交換作業の完了後、携帯端末２０のデータ入力部２０３を操作して、交換終了処理開始コマンドと、交換した寿命設定部品が備えられていた電子機器３０のシリアル番号と当該交換した寿命設定部品の部品番号を入力する。すると携帯端末２０において、制御回路２０１の交換終了処理登録検出部２６はその入力を検知する。次に交換終了処理開始信号送信部２７が、利用者の操作に対応して入力されたシリアル番号および部品番号と、時計部２０５で生成した現在日付とを含む識別情報を生成し、メモリ回路２０２に記憶する。
【００５６】
このような状態で交換終了処理開始信号送信部２７は、生成した識別情報と交換終了処理開始コマンドとを含む交換処理終了開始信号を、搬送波発生回路２０８が搬送波に重畳してＩＣタグ１０へ電磁誘導で送信する。
【００５７】
ここで、利用者が携帯端末２０を電子機器３０に貼付されたＩＣタグ１０の交信領域内に位置させると、ＩＣタグ１０は、図９に示すように、携帯端末２０のリーダ／ライタ２１０から発信された高周波信号により励磁を受け、交流磁界によるコイルの相互誘導により電源回路１０６に起電力が発生する（ステップｄ１）。
【００５８】
さらに、ＩＣタグ１０において制御回路１０１は、搬送波に重畳されて携帯端末２０から送信された交換終了処理開始信号を取得し、当該交換終了処理開始信号に含まれる交換終了処理開始コマンドを検出する。すると制御回路１０１は、交換終了処理開始信号に含まれる識別情報からシリアル番号と部品番号とを検出してメモリ回路１０２に登録するとともに、そのうちのシリアル番号と現在日付とを取得する（ステップｄ２）。
【００５９】
つぎに制御回路１０１の識別情報一致判定部１１が、取得したシリアル番号とメモリ回路１０２に記録されているシリアル番号を比較する（ステップｄ３）。そして、一致していれば（ステップｄ３−Ｙ）、寿命設定部品有無判定部１２が、寿命設定部品の有無を判断する（ステップｄ４）。
【００６０】
そして寿命設定部品有無判定部１２において、寿命設定部品の有無のメモリ内容が値１（部品有り）と判定された場合は（ステップｄ４−Ｙ）、交換期限時更新部１５が、その寿命設定部品の日付更新を実行する（ステップｄ５）。交換有無判定部１３はこの日付更新の処理において、図１０および図１５に示すように、寿命設定部品を一件目から順番に探索するため、Ｎ（番号）に初期値として値“１”を登録する（ステップｅ１）。
【００６１】
また交換期限時更新部１５は、ＬＥＤなどの状態表示ユニット１０３の、例えば、消灯（＝値０）／点灯（＝値１）／点滅（＝値２）の状態を確定するため、図１０に示すように、Ｌに初期値として値１を登録する（ステップｅ２）。つぎに交換期限時更新部１５は、交換終了処理開始信号に含まれる識別情報から取得した部品番号とメモリ回路１０２に登録されている部品番号とを照合し（ステップｅ３）、一致した場合は（ステップｅ３−Ｙ）、現在日付と部品寿命との合計である新更新日付を更新日付に書き換えて更新する（ステップｅ６）。
【００６２】
これが完了すると、交換期限時更新部１５はＬに値２を登録し（ステップｅ７）、二件目以降の寿命設定部品を探索するため、前述の番号Ｎをインクリメントする（ステップｅ４）。なお、交換終了処理開始信号に含まれる識別情報から取得した部品番号と登録されている部品番号とが一致しなかった場合も（ステップｅ３−Ｎ）、番号Ｎをインクリメントする（ステップｅ４）。
【００６３】
上述のような処理が完了すると、交換期限時更新部１５は寿命設定部品の探索を全件数分行ったかの判定を実施し（ステップｅ５）、全件数に達した場合は処理を終了する。全件数に達していない場合は、上述のような処理を全件数に達するまで繰り返す（ステップｅ３〜ｂ５）。
【００６４】
なお、ＩＣタグ１０は、図９に示すように、前述のように携帯端末２０から取得したシリアル番号と登録されているシリアル番号とが一致しなければ（ステップｄ３−Ｎ）、Ｌ＝０のまま、状態表示ユニット１０３の状態表示に移行する（ステップｄ６）。
【００６５】
また、ＩＣタグ１０は、携帯端末２０から取得したシリアル番号と登録されているシリアル番号とが一致しても（ステップｄ３−Ｙ）、寿命設定部品が無い場合は、Ｌ＝１として（ステップｄ８）、状態表示ユニット１０３の状態表示に移行する（ステップｄ６）。
【００６６】
上述のような寿命設定部品の日付更新が完了すると、更新時発光制御部１７は、図９に示すように、その探索結果に対応して状態表示ユニット１０３を駆動し、例えば、状態表示ユニット１０３のＬＥＤを消灯／点灯／点滅させる（ステップｄ６）。
【００６７】
このとき、図８に示すように、ＩＣタグ１０の制御回路１０１において更新時発光制御部１７はメモリ回路２０２に一時的に記憶しているＬの値を判定し（ステップｃ１）、Ｌ＝０の場合は、状態表示ユニット１０３のＬＥＤの消灯状態を維持する（ステップｃ４）。また更新時発光制御部１７は、Ｌ＝１の場合（シリアル番号が一致したが寿命設定部品が存在しない場合や、寿命設定部品は存在するが交換時期に達していない場合）は、状態表示ユニット１０３のＬＥＤを点灯させる（ステップｃ２）。また更新時発光制御部１７は、Ｌ＝２の場合（シリアル番号が一致し、寿命設定部品が存在し、更新日付の変更が行われた場合）は、状態表示ユニット１０３のＬＥＤを点滅させる（ステップｃ５）。
【００６８】
さらに、このＩＣタグ１０において、制御回路１０１は、図９に示すように、上述のような判定結果を含む交換処理終了信号を携帯端末２０に電磁誘導で返信する（ステップｄ７）。当該判定結果には、更新日付を更新した寿命設定部品の部品番号が含まれる。すると、携帯端末２０において制御回路２０１の交換処理終了信号受信部２８は、は、ＩＣタグ１０から受信した交換処理終了信号から判定結果を取得する。そして寿命設定部品識別情報出力部２５が、その判定結果に含まれる、更新日付を更新した寿命設定部品の部品番号を、ディスプレイ２０４に表示出力する。このため、利用者は、ＩＣタグ１０に備わる状態表示ユニット１０３の報知出力から、交換した寿命設定部品について更新日付が更新されたことを容易に特定することができる。同時に、その交換による更新日付の更新が行われた寿命設定部品の部品番号が携帯端末２０で報知出力されていることから、当該寿命設定部品についての更新日付の更新が終了したことを利用者は容易に判断することができる。
【００６９】
なお、上述の処理においては、交換完了後に携帯端末２０からＩＣタグ１０に対して送信される交換終了処理開始信号にはシリアル番号と部品番号とを含む識別情報が格納されているものとしたが、さらに交換終了処理開始信号に交換後の寿命設定部品の新更新日付の情報や、更新日付更新コマンドが格納されていてもよい。この場合、ＩＣタグ１０の制御回路１０１は、更新日付更新コマンドの検出に基づいて、交換終了処理開始信号に含まれる新更新日付を利用して更新日付の情報を更新するようにしてもよい。
【００７０】
以上、第一の実施形態による携帯端末２０とＩＣタグ１０の処理によれば、保守対象の対象物が寿命を超過している場合や、残寿命があらかじめ設定した所定期間よりも短くなった場合には、ＩＣタグ１０がその旨の情報を表示し、また交換対象となる対象物の識別情報を携帯端末２０に送信する。そして、携帯端末がその交換対象となる対象物の情報を表示する。これにより、狭小なスペース内に設けられた検出すべき保守対象の対象物が多数ある場合に、交換すべき対象となる対象物の有無を迅速に特定することができる。
【００７１】
つぎに、本発明の実施の第二の形態を図１１および図１２を参照して以下に説明する。本実施の形態の保守管理システムでは、図１１に示すように、携帯端末２０の上位に管理サーバ５０が導入されており、管理サーバ５０と携帯端末２０とがインターネット４０などのデータネットワークで接続される。
【００７２】
ＩＣタグ１０および携帯端末２０の構成および作用は、前述した実施の第一の形態と同等であるため説明を省略し、以下には相違点のみ説明する。携帯端末２０は、データ入力部２０３の手動操作により、寿命設定部品である有償交換部品の部品詳細情報の照会などを、インターネット４０を経由して上位の管理サーバ５０へ依頼する。
【００７３】
この管理サーバ５０は、汎用のサーバコンピュータにデータベースソフトが組み込まれており、例えば、顧客情報や保守情報が登録されている。保守情報の一部には、有償交換部品の型番、在庫数、交換手順書、などの部品詳細情報が、部品番号ごとに登録されている。
【００７４】
管理サーバ５０は、携帯端末２０から転送される部品番号を、格納されている部品番号と照合（部品照会制御）し、この照合結果を携帯端末２０へ返信する。図１２は、携帯端末２０から照会を依頼された管理サーバ５０が行う処理を示すフロチャートである。
【００７５】
前述したとおり、携帯端末２０は、図６のＩＣタグ１０の探索要求コマンドを入力した後の処理において、交換を必要とする寿命設定部品が存在し、かつ、部品番号の情報を取得した場合（ステップａ７）、携帯端末２０を利用して電子機器３０の保守等を行う利用者は寿命設定部品の詳細情報を入手するため、データ入力部２０３の操作により上位の管理サーバ５０へ寿命設定部品の部品番号を含む照会依頼を送信する。
【００７６】
この管理サーバ５０は、照会依頼の受信に基づいて、携帯端末２０から部品番号の情報を取得する（ステップｆ１）。取得した部品番号をキーに、データベース内の情報を検索する（ステップｆ２）。これで一致する部品番号が検索されると（ステップｆ２−Ｙ）、その寿命設定部品についての部品詳細情報を取得する（ステップｆ３）。
【００７７】
そして、このように取得された部品番号の部品詳細情報を、照会を依頼された携帯端末２０へ照会結果として返信する（ステップｆ４）。このため、携帯端末２０の利用者は、寿命設定部品である有償交換部品の部品詳細情報を入手することができる。
【００７８】
なお、携帯端末２０から取得した部品番号に該当する部品詳細情報が検索されないと（ステップｆ２−Ｎ）、取得された部品番号に該当する部品詳細情報が存在しないことを通知するメッセージを携帯端末２０へ送信する（ステップｆ５）。この場合、携帯端末２０の利用者は、寿命設定部品である有償交換部品が管理サーバ５０で管理されていないことを認識することができる。
【００７９】
なお、本発明は本実施の形態に限定されるものではなく、その要旨を逸脱しない範囲で各種の変形を許容する。例えば、上記形態では、複数の電子機器３０の各々にＩＣタグ１０が貼付されており、交換日付が現在日付を経過している寿命設定部品を有する保守対象機器である電子機器３０のＩＣタグ１０が交換警告データとして点滅することを例示した。
【００８０】
しかし、寿命設定部品を有する電子機器３０が一個の場合には、寿命設定部品の交換日付が現在日付を経過している場合に、ＩＣタグ１０が点灯や点滅することなく、携帯端末２０が交換警告データとして部品番号を報知出力すればよい（図示せず）。
【００８１】
また、上記形態では保守対象機器である電子機器３０が複数の寿命設定部品を有し、交換日付が現在日付を経過している寿命設定部品の部品番号を携帯端末２０が交換警告データとして報知出力することを例示した。
【００８２】
しかし、保守対象機器である電子機器３０が有する寿命設定部品が一個の場合、交換日付が現在日付を経過している寿命設定部品の部品番号を携帯端末２０が交換警告データとして報知出力することなく、電子機器３０のＩＣタグ１０が交換警告データとして点滅すればよい（図示せず）。
【００８３】
さらに、携帯端末２０が現在日付をＩＣタグ１０に送信し、ＩＣタグ１０が、受信した現在日付と登録されている交換日付とを比較し、比較された交換日付が現在日付を経過しているとＬＥＤの点滅を交換警告データとして報知出力するとともに、携帯端末２０が部品番号を交換警告データとして報知出力することを例示した。
【００８４】
しかし、ＩＣタグ１０が、携帯端末２０に駆動されると交換日付を返信し、携帯端末２０が、駆動するＩＣタグ１０から交換日付を受信して現在日付とを比較し、比較された交換日付が現在日付を経過していると部品番号や交換警告データを報知出力してもよい（図示せず）。
【００８５】
また、上記形態ではＩＣタグ１０に、寿命設定部品の次回の交換日付が部品寿命と前回の現在日付との合計として登録されていることを例示した。しかし、寿命設定部品の次回の交換日付が、生産年月日や出荷年月日と部品寿命との合計として事前に登録されていてもよい。
【００８６】
さらに、本実施の形態では機器保守システムの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００８７】
また、上記形態ではデータネットワークとして現状のインターネット４０を例示したが、これが次世代のインターネットである、ＮＧＮ（Next Generation Network）でもよい。
【００８８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００８９】
また、上記形態の一部ないし全部は、以下の付記のようにも記載されうるが、以下の記載に限定されるものではない。
【００９０】
（付記１）
監視対象となる対象物の探索要求の入力を検出する探索要求検出部と、
前記探索要求の入力に基づいて、前記対象物の識別情報を取得する識別情報取得部と、
取得した前記識別情報を少なくとも含む交換検知要求信号を送信する交換検知要求信号送信部と、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、
前記交換対象通知信号に含まれる寿命設定部品の識別情報を出力する寿命設定部品識別情報出力部と、
を備えることを特徴とする端末装置。
【００９１】
（付記２）
前記対象物の交換終了処理登録の入力を検出する交換終了処理登録検出部と、
前記交換終了処理登録の入力に基づいて、前記対象物の識別情報を少なくとも含む交換終了処理開始信号を送信する交換終了処理開始信号送信部と、
前記交換終了処理開始信号の送信に応じて、前記ＩＣタグより、前記対象物の識別情報を少なくとも示す交換処理終了信号を受信する交換処理終了信号受信部と、
を備えることを特徴とする付記１に記載の端末装置。
【００９２】
（付記３）
前記識別情報取得部は、前記対象物の識別情報を利用者からの入力または記憶部からの読み取りに基づいて取得する
ことを特徴とする付記１または付記２に記載の端末装置。
【００９３】
（付記４）
監視対象となる対象物の識別情報を記憶する対象物識別情報記憶部と、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、
無線を介して対象物の識別情報を含む交換検知要求信号を受信する交換検知要求信号受信部と、
前記交換検知要求信号に含まれる識別情報と、前記対象物識別情報記憶部に記憶する識別情報とが一致するか否かを判定する識別情報一致判定部と、
前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、
を備えることを特徴とするＩＣタグ。
【００９４】
（付記５）
対象物の識別情報と交換した寿命設定部品の識別情報とを少なくとも含む交換終了処理開始信号を受信する交換終了処理開始信号受信部と、
前記交換終了処理開始信号に含まれる識別情報と、前記対象物識別情報記憶部に記憶する識別情報とが一致する場合であって、前記交換終了処理開始信号に含まれる寿命設定部品の識別情報が前記寿命有無識別情報記憶部に記録されている場合に、交換期限時記憶部に記録されている前記交換期限時を、前記交換終了処理開始信号に含まれる寿命設定部品の寿命期間を前記現在時に加えた新交換期限時に更新する交換期限時更新部と、
を備えることを特徴とする付記４に記載のＩＣタグ。
【００９５】
（付記６）
前記寿命有無識別情報記憶部に寿命設定部品であることを示す寿命有無識別情報に対応付けられて記録されている部品の交換期限時が現在時を経過している場合に、発光部を発光させる交換検知時発光制御部と、
を備えることを特徴とする付記４または付記５に記載のＩＣタグ。
【００９６】
（付記７）
前記交換有無判定部は、前記寿命有無識別情報記憶部に寿命設定部品であることを示す寿命有無識別情報に対応付けられて記録されている部品の識別情報が複数ある場合には、そのすべての部品の交換期限時を読み取って当該交換期限時が現在時を経過しているか否かを判定する
ことを特徴とする付記４から付記６の何れか一項に記載のＩＣタグ。
【００９７】
（付記８）
前記交換期限時を更新した場合に、発光部を発光させる更新時発光制御部と、
を備えることを特徴とする付記４から付記７の何れか一項に記載のＩＣタグ。
【００９８】
（付記９）
端末装置が、
監視対象となる対象物の探索要求の入力を検出する探索要求検出部と、
前記探索要求の入力に基づいて、前記対象物の識別情報を取得する識別情報取得部と、
取得した前記識別情報を少なくとも含む交換検知要求信号をＩＣタグへ送信する交換検知要求信号送信部と、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信部と、
前記交換対象通知信号に含まれる寿命設定部品の識別情報を出力する寿命設定部品識別情報出力部と、を備え、
ＩＣタグが、
前記対象物の識別情報を記憶する対象物識別情報記憶部と、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶部と、
無線を介して前記交換検知要求信号を受信する交換検知要求信号受信部と、
前記交換検知要求信号に含まれる識別情報と、前記対象物識別情報記憶部に記憶する識別情報とが一致するか否かを判定する識別情報一致判定部と、
前記交換検知要求信号に含まれる識別情報と、前記対象物識別情報記憶部に記憶する識別情報とが一致する場合に、前記寿命有無識別情報記憶部において寿命設定部品であることを示す寿命有無識別情報に対応付けられて記録されている部品の識別情報があるかを判定する寿命設定部品有無判定部と、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定する交換有無判定部と、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知部と、を備える
ことを特徴とする前記端末装置と前記ＩＣタグとを有する機器保守システム。
【００９９】
（付記１０）
前記端末装置が、
前記対象物の交換終了処理登録の入力を検出する交換終了処理登録検出部と、
前記交換終了処理登録の入力に基づいて、前記対象物の識別情報を少なくとも含む交換終了処理開始信号を送信する交換終了処理開始信号送信部と、
前記交換終了処理開始信号の送信に応じて、前記ＩＣタグより、前記対象物の識別情報を少なくとも示す交換処理終了信号を受信する交換処理終了信号受信部と、
を備えることを特徴とする付記９に記載の機器保守システム。
【０１００】
（付記１１）
前記ＩＣタグが、
対象物の識別情報と交換した寿命設定部品の識別情報とを少なくとも含む交換終了処理開始信号を受信する交換終了処理開始信号受信部と、
前記交換終了処理開始信号に含まれる識別情報と、前記対象物識別情報記憶部に記憶する識別情報とが一致する場合であって、前記交換終了処理開始信号に含まれる寿命設定部品の識別情報が前記寿命有無識別情報記憶部に記録されている場合に、交換期限時記憶部に記録されている前記交換期限時を、前記交換終了処理開始信号に含まれる寿命設定部品の寿命期間を前記現在時に加えた新交換期限時に更新する交換期限時更新部と、
を備えることを特徴とする付記９または付記１０に記載の機器保守システム。
【０１０１】
（付記１２）
前記ＩＣタグが、
前記寿命有無識別情報記憶部に寿命設定部品であることを示す寿命有無識別情報に対応付けられて記録されている部品の交換期限時が現在時を経過している場合に、発光部を発光させる交換検知時発光制御部と、
を備えることを特徴とする付記９から付記１１の何れか一項に記載の機器保守システム。
【０１０２】
（付記１３）
前記交換期限時を更新した場合に、発光部を発光させる更新時発光制御部と、
を備えることを特徴とする付記９から付記１２の何れか一項に記載の機器保守システム。
【０１０３】
（付記１４）
機器保守システムにおける端末装置が
監視対象となる対象物の探索要求の入力を検出し、
前記探索要求の入力に基づいて、前記対象物の識別情報を取得し、
取得した前記識別情報を少なくとも含む交換検知要求信号を送信し、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信し、
前記交換対象通知信号に含まれる寿命設定部品の識別情報を出力する
ことを特徴とする処理方法。
【０１０４】
（付記１５）
機器保守システムにおけるＩＣタグが、
監視対象となる対象物の識別情報を記憶し、
前記対象物に含まれる１つまたは複数の部品の識別情報と、当該部品が使用可能期間である寿命の設定された寿命設定部品か否かを示す寿命有無識別情報とを対応付けて記憶し、
無線を介して対象物の識別情報を含む交換検知要求信号を受信し、
前記交換検知要求信号に含まれる識別情報と、対象物識別情報記憶部に記憶する識別情報とが一致するか否かを判定し、
前記交換検知要求信号に含まれる識別情報と、前記対象物識別情報記憶部に記憶する識別情報とが一致する場合に、寿命有無識別情報記憶部において寿命設定部品であることを示す寿命有無識別情報に対応付けられて記録されている部品の識別情報があるかを判定し、
前記寿命有無識別情報記憶部に寿命設定部品であることを示す寿命有無識別情報に対応付けられて記録されている部品の識別情報がある場合に、その部品の交換期限時を読み取って当該交換期限時が現在時を経過しているか否かを判定し、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する
ことを特徴とする処理方法。
【０１０５】
（付記１６）
機器保守システムにおける端末装置のコンピュータを、
監視対象となる対象物の探索要求の入力を検出する探索要求検出手段、
前記探索要求の入力に基づいて、前記対象物の識別情報を取得する識別情報取得手段、
取得した前記識別情報を少なくとも含む交換検知要求信号を送信する交換検知要求信号送信手段、
前記交換検知要求信号の送信に応じて、前記監視対象となる対象物に対応するＩＣタグより、使用可能期間である寿命の設定された寿命設定部品のうち交換期限時が現在時を経過している寿命設定部品の識別情報を含む交換対象通知信号、または、前記寿命設定部品のうち前記現在時から前記交換期限時までの期間が所定期間以内である寿命設定部品の識別情報を含む交換対象通知信号を受信する交換対象通知信号受信手段、
前記交換対象通知信号に含まれる寿命設定部品の識別情報を出力する寿命設定部品識別情報出力手段、
として機能させることを特徴とするプログラム。
【０１０６】
（付記１７）
機器保守システムにおけるＩＣタグのコンピュータを、
監視対象となる対象物の識別情報を記憶する対象物識別情報記憶手段、
前記対象物に含まれる１つまたは複数の部品の識別情報と、当該部品が使用可能期間である寿命の設定された寿命設定部品か否かを示す寿命有無識別情報とを対応付けて記憶する寿命有無識別情報記憶手段、
無線を介して対象物の識別情報を含む交換検知要求信号を受信する交換検知要求信号受信手段、
前記交換検知要求信号に含まれる識別情報と、前記対象物識別情報記憶手段に記憶する識別情報とが一致するか否かを判定する識別情報一致判定手段、
前記交換検知要求信号に含まれる識別情報と、前記対象物識別情報記憶手段に記憶する識別情報とが一致する場合に、前記寿命有無識別情報記憶手段において寿命設定部品であることを示す寿命有無識別情報に対応付けられて記録されている部品の識別情報があるかを判定する寿命設定部品有無判定手段、
前記寿命有無識別情報記憶手段に寿命設定部品であることを示す寿命有無識別情報に対応付けられて記録されている部品の識別情報がある場合に、その部品の交換期限時を読み取って当該交換期限時が現在時を経過しているか否かを判定する交換有無判定手段、
前記寿命有無識別情報記憶部に寿命設定部品であることを示す寿命有無識別情報に対応付けられて記録されている部品の交換期限時が現在時を経過している場合、または、前記寿命有無識別情報記憶部に寿命設定部品であることを示す寿命有無識別情報に対応付けられて記録されている部品の交換期限時までの前記現在時からの期間が所定期間以内である場合に、当該部品の交換が必要であることを示す交換対象通知信号を出力する交換対象通知手段、
として機能させることを特徴とするプログラム。
【符号の説明】
【０１０７】
３０  電子機器
１０  ＩＣタグ
２０  携帯端末
１０１，２０１・・・制御回路
１０２，２０２・・・メモリ回路
１０３・・・状態表示ユニット
１０４・・・アンテナ部
１０５・・・コンデンサ部
１０６・・・電源回路
１０７・・・変復調回路
２０３・・・データ入力部
２０４・・・ディスプレイ
２０５・・・時計部
２０６・・・通信回路
２０７・・・変復調回路
２０８・・・搬送波発生回路
２０９・・・アンテナ部
１１・・・識別情報一致判定部
１２・・・寿命設定部品有無判定部
１３・・・交換有無判定部
１４・・・交換対象通知部
１５・・・交換期限時更新部
１６・・・交換検知時発光制御部
１７・・・更新時発光制御部
２１・・・探索要求検出部
２２・・・識別情報取得部
２３・・・交換検知要求信号送信部
２４・・・交換対象通知信号受信部
２５・・・寿命設定部品識別情報出力部
２６・・・交換終了処理登録検出部
２７・・・交換終了処理開始信号送信部
２８・・・交換処理終了信号受信部
【図１】
0005626923.tif 000002
【図２】
0005626923.tif 000003
【図３】
0005626923.tif 000004
【図４】
0005626923.tif 000005
【図５】
0005626923.tif 000006
【図６】
0005626923.tif 000007
【図７】
0005626923.tif 000008
【図８】
0005626923.tif 000009
【図９】
0005626923.tif 000010
【図１０】
0005626923.tif 000011
【図１１】
0005626923.tif 000012
【図１２】
0005626923.tif 000013
【図１３】
0005626923.tif 000014
【図１４】
0005626923.tif 000015
【図１５】
0005626923.tif 000016